(57)【要約】      （修正有）【課題】カラオケにおいて使用される顧客によるオリジナル背景映像を、ネットワークを介してカラオケ装置に提供するカラオケネットワークにおいて、演奏の順番が廻ってきたときに自分のオリジナル背景映像がまだ取得完了となっていない場合、自分の望む選択肢を提供する。【解決手段】予約したカラオケ楽曲が演奏順に達しても個別背景映像の取得が完了していなかったとき、次の順位の演奏曲を先に演奏させ個別背景映像の取得を継続する、又は個別背景映像を背景映像として演奏させることをあきらめ、カラオケ装置の汎用映像データで演奏を開始し、個別背景映像の取得は中止する等の複数の対応する演奏モードを用意し、演奏開始時／カラオケ機器の初期設定時／カラオケ予約時に選択できるようにした。【選択図】図１
2014109684.tif 000002
【特許請求の範囲】
【請求項１】
カラオケ曲演奏用の楽曲データに対応させる個別背景映像を記憶する外部サーバ装置とネットワークを介して互いに接続されるカラオケ装置において、
カラオケ曲演奏用の楽曲データを複数記憶する楽曲データ記憶手段と、
複数のカラオケ曲に対応する汎用映像データを記憶する映像データ記憶手段と、
任意のリモコン装置より、カラオケ曲演奏指示を行う際に背景映像として、前記外部サーバ装置に記憶された前記個別背景映像を選択して取得するデータ取得手段と、カラオケ曲及びカラオケ演奏順の演奏指示を受け付ける演奏曲予約受付手段と、予約に応じて演奏指示／データ取得指示等を行う制御手段を有して、順次演奏を行うカラオケ装置であって、
前記演奏曲予約受付手段に基づき、カラオケ曲を順次演奏させる際、ネットワークを介して前記サーバ装置に登録された個別背景映像の取得要求を行った場合であって、予約したカラオケ楽曲が演奏順に達しても個別背景映像の取得が完了していなかったとき、
１．そのままデータ転送を続け、転送が完了したら演奏する。
２．次の順の（映像データの転送が不要な）演奏曲を先に演奏させ個別背景映像の取得を継続し、取得した時点で演奏中のカラオケ曲の後に演奏させる。
３．個別背景映像を背景映像として演奏させることをあきらめ、カラオケ装置の汎用映像データで演奏を開始し、個別背景映像の取得は中止する。
４．その曲の演奏をやめ、次の順の曲を演奏する。
を選択できることを特徴とするカラオケ装置。
【請求項２】
前記制御手段は、前記選択を前記カラオケ装置の初期設定に基づき行うことを特徴とする前記請求項１記載のカラオケ装置。
【請求項３】
前記制御手段は、前記カラオケ利用者によるカラオケ曲予約時の選択に基づき行うことを特徴とする前記請求項１記載のカラオケ装置。
【請求項４】
前記制御手段は、前項記載のカラオケ利用者による選択を、前記請求項２記載のカラオケ装置の初期設定に優先させることを特徴とする前記請求項３記載のカラオケ装置。
【発明の詳細な説明】
【技術分野】
【０００１】
この発明は、カラオケ装置におけるカラオケ背景映像の表示方法に関し、具体的には、個々のカラオケ装置において、サーバから取得した利用者の自作映像をカラオケ背景映像（個別映像）として表示するための方法に関する。
【背景技術】
【０００２】
従来、例えばカラオケボックス等において使用されるカラオケ装置の表示映像には、カラオケ装置によるカラオケ演奏に同期して歌詞テロップが表示されると共に背景映像が表示されていた。この場合、背景映像は、記憶装置などに予め用意された動画などを背景映像として表示するようにしている。このカラオケ装置では、背景映像として表示される動画の種類は、予め曲を提供する業者側で曲のイメージに合うであろうと考えられて選定されたものであり、同一曲を再生すると、いつも同じ映像が表示されるようになっていた。
しかし、予め選定された映像では、毎回同じ映像が表示されるため歌っている本人のみならず、同席している友人などもこの背景映像に飽きてしまい、その場を盛り上げることができないという問題があった。
【０００３】
しかも、その映像は演奏曲ごとにオリジナルに作成されている場合ばかりではなく、
何曲か歌っていると他の曲でも同じ映像が表示される場合もある。
【０００４】
また、その映像はカラオケ業者によって割り付けられていることが多く、必ずしも曲にマッチした映像でないことも多かった。
【０００５】
また、顧客が自分用にカスタマイズされた映像で歌いたいという希望を持ったり、顧客が思い入れのある曲を自分で撮影した映像で歌いたいという要望もあった。
【０００６】
そこで、近年では、ユーザが独自に作成した背景映像を、カラオケ機器メーカーのサーバに登録（アップロード）し、カラオケ店にある機器に受信（ダウンロード）して独自映像でカラオケを楽しむ提案も行われている。（特許文献１乃至３参照）
【先行技術文献】
【特許文献】
【０００７】
【特許文献１】特開2002-366170号公報
【特許文献２】特開2003-076381号公報
【特許文献３】特許4311485号公報
【発明の概要】
【発明が解決しようとする課題】
【０００８】
特許文献１は、カラオケにおいて使用されるオリジナル背景映像を、ネットワークを介して顧客に提供するというものである。しかし、ネットワークトラブルや転送処理の遅延によって演奏時までに背景映像の受信が完了しない場合の記述はない。
【０００９】
さらに特許文献２では、自作映像をどこのカラオケ店でも利用できるように、自作映像を保管するための読み書き自在な大容量記憶装置を備えた映像サーバを公衆通信ネットワークを介して各地に散在するカラオケ装置が前記映像サーバにアクセスできるように構成し、リクエストされたある楽曲を演奏するのに際し、リクエストした利用者の利用者ＩＤと自作映像要求イベントを受け付けたならば、その利用者ＩＤを前記映像サーバに送達して該当する映像データを転送してもらい、その映像データを前記楽曲のカラオケ演奏時に歌詞の背景映像として表示するものであるが、こちらも演奏時までに背景映像の転送が完了しなかった場合の言及はない。
【００１０】
特許文献３は、個別の映像データの取得に時間がかかる場合であっても、歌唱者を待たせずに、カラオケ曲の演奏を開始することができるカラオケ装置を提供することを目的とする。カラオケ装置は、汎用の映像データを記憶しておき、個別背景映像の転送を受けるまでの間、汎用映像データを用いてカラオケ曲の演奏をスタートするようにしたことにより、他のカラオケ装置から映像データを転送している場合でも待ち時間を短くカラオケ演奏をスタートすることができる。
【００１１】
しかし、この場合、汎用映像を無条件に使用するため必ずしも顧客の希望しない映像で演奏しなければならないため、顧客は不満を持つことになる。顧客は自分の作成した背景映像でこそ演奏したいという可能性もあり、その画像が使えないのであれば、その曲の演奏は次の機会に廻したいなどと考えることも予想できる。これを一律に固定映像に差し替えるのは不親切ともいえる。
【００１２】
本発明は、カラオケにおいて使用される個別背景映像を、ネットワークを介して顧客に提供するカラオケネットワークにおいて、演奏の順番が廻ってきたときに自分の個別背景映像がまだ受信完了となっていない場合の次のアクションが選択できるようにすることを目的としたものである。その選択は、顧客または店舗において事前に設定することもできる。
【課題を解決するための手段】
【００１３】
本発明では、演奏曲予約受付手段に基づき、カラオケ曲を順次演奏させる際、ネットワークを介して前記サーバ装置に登録された個別背景映像の取得要求を行った場合であって、予約したカラオケ楽曲が演奏順に達しても個別背景映像の取得が完了していなかったとき、
１．演奏を中断し、そのままデータ転送を続け、転送が完了したら再開する。
２．次の順の（映像データの転送が不要な）演奏曲を先に演奏させ個別背景映像の取得を継続し、取得した時点で演奏中のカラオケ曲の後に演奏させる。
３．個別背景映像を背景映像として演奏させることをあきらめ、カラオケ装置の汎用映像データで演奏を開始し、個別背景映像の取得は中止する。
４．その曲の演奏をやめ、次の順の曲を演奏する。
を選択できるようにした。
【００１４】
請求項２では、請求項１のような選択を、カラオケ装置の初期設定で行うというものである。
【００１５】
請求項３では、請求項１のような選択をカラオケ予約時にあらかじめカラオケ利用者が行うというものである。
【００１６】
請求項４では請求項３のカラオケ利用者が選択した場合、請求項２のカラオケ装置の初期設定に優先するというものである。
【発明の効果】
【００１７】
本発明によれば、カラオケにおいて使用される個別背景映像を、ネットワークを介して顧客に提供するカラオケシステムにおいて、ネットワークトラブルや転送処理の遅延、映像の容量過多などの要因によって演奏時までに背景映像の受信が完了しない場合、顧客の選択により転送継続、代替映像による演奏、その曲の演奏中止などが自由に決めることができる。
【図面の簡単な説明】
【００１８】
【図１】本発明の一実施例を示すネットワーク接続を示す説明図。
【図２】予約曲順到来時に該当曲用の背景映像のダウンロードが未了の際の画面表示例。
【発明を実施するための形態】
【００１９】
以下に本発明の実施例を示す。
カラオケ機器メーカーの会員顧客は、カラオケ演奏時に背景にしたい映像を入手または撮影し、事前にサーバ１に登録しておく。カラオケ店に来店後、演奏したい曲を予約することにより、前記サーバ１からカラオケ機器４に顧客の登録した個別背景映像１１が送られる。
例としては、顧客が結婚式で撮影した映像を昼のうちにサーバ１にアップロードしておき、その夜の二次会でカラオケの前記個別背景映像１１に使うなどという使い方がある。
その顧客の演奏順が廻ってきたときに、前記個別背景映像１１のダウンロードが完了していればそのまま演奏に入るが、もし何らかの理由でまだ個別背景映像データ１１のダウンロードが終わっていなかった場合、顧客は下記の選択ができる。
１．このままダウンロードの完了を待って演奏する。
２．ダウンロードを継続し、次の曲を演奏する。
３．ダウンロードを中止して、汎用映像データ１３で演奏を開始する。
４．ダウンロードを中止して、その曲の演奏を止める。
上記４つの選択肢がメニューとして現れ、顧客はそこから選択することで次のアクションを決めることができる。（メニュー例：図２）
何も選択しない場合、または選択するまでの間は２．が選択されたものとしてダウンロードを継続する。
【００２０】
上記４つの選択は、カラオケ機器４の初期設定データ１４として事前になされてもよい。（請求項２）
【００２１】
また、上記事前の選択はカラオケ店により、或いはカラオケ使用開始時に顧客によりなされてもよい。
【００２２】
また、利用者が予約時に予め選択しておくこともできる。（請求項３）
【００２３】
上記４つの選択が、カラオケ機器４の初期設定データ１４で事前に選択されていた場合で、カラオケ予約時にも選択された場合は、予約時に選択されたほうを優先とする。（請求項４）
【産業上の利用可能性】
【００２４】
本発明によれば、カラオケにおいて使用される顧客による個別背景映像１１を、ネットワークを介してカラオケ装置に提供するカラオケシステムにおいて、ネットワークトラブルや転送処理の遅延、映像の容量過多などの要因によって演奏時までに個別背景映像１１の受信が完了しない場合、顧客の選択により転送継続、代替映像による演奏、その曲の演奏中止などが自由に決めることができる。
【符号の説明】
【００２５】
１…サーバ
２…ネットワーク
３…モニタ
４…カラオケ装置
５…リモコン
６…インターネット
７…パソコン
８…携帯端末装置
９、１０、１１、１２…個別背景映像
１３…汎用映像データ
１４…初期設定データ
【図１】
2014109684.tif 000003
【図２】
2014109684.tif 000004
【手続補正書】
【提出日】平成24年12月3日(2012.12.3)
【手続補正１】
【補正対象書類名】図面
【補正対象項目名】図１
【補正方法】変更
【補正の内容】
【図１】
2014109684.tif 000005